(57)【要約】【課題】視認性と安全性を両立させるネックライトを提供する。【解決手段】 着用者の首の周囲に掛けられるフレーム１２と、フレーム１２によって所定の位置に装着されるライト１４を備え、フレーム１２が、着用者の首を通すための隙間を有するとともに、隙間の大きさを変化させ得る弾性を備え、ライト１４が、フレーム１２の隙間が設けられている側と対向する側に装着されるネックライト１０を提供する。ライト１４に給電するバッテリーケース１６はフレーム１２に対して着脱式であり、より大容量のバッテリーケースと交換もしくは接続するなどして長時間の使用も可能である。【選択図】図１
2018181421.tif 000002
【特許請求の範囲】
【請求項１】
着用者の首の周囲に掛けられるフレームと、
前記フレームによって所定の位置に装着される照明装置を備え、
前記フレームが、着用者の首を通すための隙間を有するとともに、前記隙間の大きさを変化させ得る弾性を備え、
前記照明装置が、前記フレームの前記隙間が設けられている側と対向する側に装着されることを特徴とする、
首掛け式照明装置。
【請求項２】
前記フレームの前記隙間を形成する両端部もしくは何れか一方の端部に、前記照明装置の光源に電力を供給する電池が収納されていることを特徴とする、
請求項１に記載の首掛け式照明装置。
【請求項３】
前記照明装置に替えて、もしくは同時に装着される撮像装置を備えることを特徴とする、
請求項１または２に記載の首掛け式照明装置。
【発明の詳細な説明】
【技術分野】
【０００１】
本発明は、首に掛けた状態で使用する照明装置に関する。
【背景技術】
【０００２】
両手両腕を自由に使えるようにした状態で対象物を照射する装置としてヘッドライトがある。ヘッドライトは前頭部に装着して使用するため、両手両腕が自由に使えることから、工事現場や医療現場等の産業分野で広く用いられている。また、工事現場や医療現場のような高度な視認性や安全性までは要求されないが、日常生活や趣味活動のちょっとした場面でヘッドライトを使用したいという要請は意外に多い。ところが、ヘッドライトは、本来の用途上、ゴムバンドなどで前頭部にしっかりと固定されるタイプのものがほとんどであり、長時間装着していると締め付けによる不快感を覚えることが多いのも事実である。またヘアスタイルを崩しやすいという欠点もある。さらに帽子などを着用したままその上に装着する場合、つばによって光が遮られることもある。
【０００３】
ヘッドライトの使用者の中にはヘッドライトを首に掛けて使用する者もいる。しかし、このような使用方法は本来の使用方法とは異なるため、思わぬ危険を招くおそれがあることから安全上推奨されるものではない。仮に安全上の問題をクリアしたとしても、ゴムバンドを頭部から首まで移動させる際にメガネやサングラスを落下させたり破損させたりしないように予め取り外しておく必要があるなど面倒な作業も多い。これはヘッドライトを首から外すときも同様である。またつば付きの帽子やパーカーフードなども予め脱いでおかなければならないなど、ヘッドライトを首に掛けて使用しようとすれば着脱に際して余計な作業が増えることになる。
【０００４】
一方、現在では首に掛けて使用するタイプの照明装置が提案されている（特許文献１、２参照）。これらの新しいタイプの照明装置は、首からぶら下げるペンダント式の構造を採用している。ペンダント式は比較的単純な構造であるため、製作費を低く抑えられるという利点があるが、照明装置としては以下に示すような欠点が指摘される。光源の位置が目線よりも大幅に低くなるため、対象物の見え方（陰影の生じ方）に違和感を覚えることがある。ペンダント式は柔軟性に富む反面、剛性がないため、身体の動き、特に素早い動きに光源が追随できないことがある。紐部分の巻き込み事故等の際に首を絞められるおそれがある。
【先行技術文献】
【特許文献】
【０００５】
【特許文献１】特開２００５−２４３５３８号公報
【特許文献２】特開２０１４−１５４５３１号公報
【発明の概要】
【発明が解決しようとする課題】
【０００６】
本発明は、従来の首掛け式の照明装置にある問題点に鑑みて創作されたものであり、視認性と安全性を両立させた首掛け式照明装置を提供することを目的とする。
【課題を解決するための手段】
【０００７】
本発明は、前述した課題を解決するため、以下に示される首掛け式照明装置を提供する。
【０００８】
本発明の第１の態様は、着用者の首の周囲に掛けられるフレームと、前記首掛け部によって所定の位置に装着される照明装置を備え、前記フレームが、着用者の首を通すための隙間を有するとともに、前記隙間の大きさを変化させ得る弾性を備え、前記照明装置が、前記フレームの前記隙間が設けられている側と対向する側に装着されることを特徴とする首掛け式照明装置である。
【０００９】
首掛け式照明装置は首の周囲に掛けて使用する。フレームの隙間は弾性的に開閉することができるため、使用に際しては着用者の首が通る程度に広げ、首の前方から後方に向けて装着する。装着後は弾性により隙間が閉じるため、意図的に外力を加えない限りは首回りから脱落することはない。フレームと首の間には密着しない程度の隙間を設けることが望ましい。この隙間を調節するための機構をフレームに付加的に設けてもよい。装着時には首の前方、顎の下方あたりに照明装置が位置するため、着用者の前方のみならず手元やその周辺も効果的に照射することができる。
【００１０】
本発明の第２の態様は、第１の態様において、前記フレームの前記隙間を形成する両端部もしくは何れか一方の端部に、前記照明装置の光源に電力を供給する電池が収納されていることを特徴とする首掛け式照明装置である。
【００１１】
照明装置の光源用の電池は照明装置の筐体内部に収納することもできるが、より大きな光量で長時間の使用に耐え得るようにするには電池の重量が増加することになるため、フレームの前方のみが重くなる。この場合、首の前後に掛かる荷重のバランスが崩れて違和感が生じたり、長時間の使用においては首の痛みや肩凝りを誘発することがある。そのため、筐体内部とは別に外部電源を用意しておくことが望ましい。外部電源は、着用者の着衣等に装着して電源コード等によって光源に電力を供給するように構成することもできるが、電源コードの絡まりや断線等の不具合を考慮すれば、フレーム自体に装着することが望ましい。この場合、照明装置のほぼ反対側に位置する場所に装着すれば、フレーム前後の荷重バランスが向上し、使用時の違和感を軽減することができる。なお外部電源を着脱可能な構造にしておけば、不使用時の全体重量を軽減することができる。
【００１２】
本発明の第３の態様は、第１または第２の態様において、前記照明装置に替えて、もしくは同時に装着される撮像装置を備えることを特徴とする首掛け式照明装置である。
【００１３】
自身が実際に見ている映像を記録に残し、動画サイト等に投稿するという行動が近年活発化してきている。この場合、両手両腕が自由に使えるようにするために、頭部に撮像装置を装着することが多く、またそのような装着を行うためのフレームも市販されている。しかし、撮像装置を頭部に装着すると、頭（顔）を動かすたびに撮像装置も動くことになるため、撮像対象以外の情報まで撮像されてしまうこともある。またパンニングが頻繁に起きるため、撮像した映像がとても見辛いという問題もある。例えば、調理を実況するなど手元の情報だけを撮像すれば十分な場面であっても、調味料や調理器具を探すときの頭（顔）の動きに撮像装置が追随するため、煩雑なパンニングや余計な情報まで撮像されてしまうことになる。頭の前後左右の動きは主として首を中心として行われるため、首は頭に比べて遥かに動きが少ない。そこで、本発明のフレームに撮像装置を装着することで、頭の動きや顔の向きにほとんど影響を受けずに対象物を捉え続けることができるようになるため、必要な情報のみを見やすく撮像することができる。これにより、調理や手作業の様子、さらには手術や施術の様子を着用者と同じ目線で確認することができる。また撮影と同時に音声の記録もできるようにすれば、言葉による説明も同時に記録することができる。
【発明の効果】
【００１４】
本発明の第１の態様によれば、目線に近いところに光源を配置することができるため、対象物を自然な陰影を伴って違和感なく視認することができる。またフレームの隙間を広げるだけで首の前方から装着することができるため、着脱も容易であり、ヘアスタイルを崩すこともない。さらには、巻き込み事故等の緊急時にはフレームの弾性限度を超えて破断するため、首が締められるなどの事故を未然に予防することができる。
【００１５】
本発明の第２の態様によれば、フレーム前後の荷重バランスを崩すことなく、大光量、長時間の照射を実現することができる。
【００１６】
本発明の第３の態様によれば、撮像装置が、頭の動きや顔の向きにほとんど影響を受けずに対象物を捉え続けることができるようになるため、必要な情報のみを見やすく撮像することができる。
【図面の簡単な説明】
【００１７】
【図１】ネックライトを着用した状態を示す図
【図２】ネックライトの実施形態を示す図
【図３】ネックライトの他の実施形態を示す図
【発明を実施するための形態】
【００１８】
以下、本発明の実施形態について図面を参照しながら説明する。図１は、本発明の実施形態であるネックライトを着用者の首に掛けた状態を示している。ネックライト１０は、フレーム１２、ライト１４、バッテリーケース１６によって構成されている。フレーム１２は全体として環状の形状であり、着用したときに首との間に適度な空間ができ、首を圧迫しない程度の大きさおよび形状に形成されている。２つのバッテリーケース１６の間には隙間が形成されており、この隙間を通して首の周りに装着する。フレーム１２は隙間の大きさを変化させ得る程度の弾性を備えており、ネックライト１０の着脱の際には隙間を広げて、首が通る程度の大きさになるようにフレーム１２を弾性変形させる。
【００１９】
フレーム１２は、通常の着用時に自重等によって隙間が開くなどしてネックライト１０が脱落したりすることがない程度の弾性強度は必要である。また、フレーム１２が何かに引っ掛かったりしたときには破断するなどして首を締めることのないように配慮する必要がある。
【００２０】
ライト１４は、フレーム１２に隙間と対向する位置に装着して使用する。ライト１４には電気を利用するものであればＬＥＤや電球など様々な種類の光源を用いることができる。ライト１４とフレーム１２は分離不可の一体型の構造であってもよいし、独立したライト１４をフレーム１２に着脱可能に装着する分離型の構造であってもよい。ここでは、ライト１４に付属するベルト１８をフレーム１２に設けられた孔２０に通して固定した状態を図示している。ライト１４が分離型であれば、デジタルカメラやビデオカメラ等の撮像装置と付け替えて使用することも可能である。
【００２１】
バッテリーケース１６は、フレーム１２の両端部にそれぞれ装着されている。バッテリーケースには、リチウムイオン電池等の充電が可能な二次電池、もしくはマンガン乾電池やアルカリ乾電池等の一次電池を装着することができる。バッテリーケース１６はフレーム１２に対して着脱可能であり、バッテリーケース１６とフレーム１２との取り付け部には防水パッキンや防水テープ等の防水処理が施されている。フレーム１２にはバッテリーケース１６とライト１４との間で通電を行うためのケーブルが内蔵されている。より大容量のバッテリーが必要な場合に備えて、バッテリーケース１６とは別体のバッテリーケースからの給電も可能である。
【００２２】
バッテリーケース１６にはＬＥＤ等を配備することも可能である。ネックライト１０の着用時にはバッテリーケース１６は首の横から後ろ側にかけての範囲に位置するため、バッテリーケース１６が点灯もしくは点滅すれば、周囲への注意喚起を促すことができ、着用者の身の安全を守ることができる。
【００２３】
図３は、本発明の実施形態であるネックライトの他の形態を示している。ネックライト２０は、ライトと付け替えてデジタルカメラやビデオカメラ等の撮像装置２４を装着することができる。撮像装置２４の装着の際にはホルダー２６を使用する。ホルダー２６に付属するベルト２８をフレーム１２に設けられた孔３０に通してホルダー２６をフレーム２２に固定する。ホルダー２６には、市販されている撮像装置２４に設けられている三脚固定用のねじ穴に対応するねじ３２が付属しており、撮像装置２４を確実に固定することができる。
【符号の説明】
【００２４】
１０  ネックライト
１２  フレーム
１４  ライト
１６  バッテリーケース
２４  撮像装置
２６  ホルダー
【図１】
2018181421.tif 000003
【図２】
2018181421.tif 000004
【図３】
2018181421.tif 000005